(57)【要約】      （修正有）【課題】温度の上昇に伴う揮発性液体の過剰な損失を停止できる散布装置を提供する。【解決手段】散布装置１は、液体を含む貯留槽３および、液体から大気中に延在する多孔質蒸発部材５を含み、貯留槽は、均圧排出口７によってのみ大気に直接開放されている。この排出口は、上昇する大気温度に応じて随意にこれを完全に閉鎖する閉鎖手段８を備えている。従って、この装置は、極めて高温となり得る、例えば自動車車内において遭遇する香料の過剰な損失を顕著に減少させる。【選択図】図１
2011101805.tif 000002
【特許請求の範囲】
【請求項１】
揮発性液体を大気中に散布するように適合された装置であって、該装置が、該液体を含む貯留槽および、液体から大気中に延在する多孔質蒸発部材を含み、該貯留槽が、均圧排出口によってのみ大気に直接開放されており、該排出口が、排出口を、上昇する大気温度に伴って増大する程度に妨害し、随意にこれを完全に閉鎖する閉鎖手段を備えている、前記装置。
【請求項２】
閉鎖手段が、温度応答性移動部材およびこれに取り付けられた閉鎖部材を含む、請求項１に記載の装置。
【請求項３】
温度応答性移動部材が、閉鎖部材が適切な排出口制限方向に移動するように、上昇する温度の下で変形する部材を含む、請求項２に記載の装置。
【請求項４】
温度応答性移動部材が、上昇する温度に伴って、所望の程度の閉鎖をもたらすのに十分な程度に変形する単一の成分である、請求項３に記載の装置。
【請求項５】
温度応答性移動部材が、コイルバネである、請求項４に記載の装置。
【請求項６】
温度応答性移動部材が、バイメタル部材である、請求項４に記載の装置。
【請求項７】
バイメタル部材が、バイメタルストリップおよびバイメタルコイルから選択されている、請求項６に記載の装置。
【請求項８】
閉鎖部材が、円形の排出口に適合するニードル弁である、請求項２に記載の装置。
【請求項９】
閉鎖部材が、オリフィスを閉鎖するキャップである、請求項２に記載の装置。
【請求項１０】
揮発性液体を大気中に多孔質蒸発部材から散布し、この一方の端部が、大気との直接の接触から、均圧排出口以外により密閉されている貯留槽中の液体と接触しており、この他方の端部が、散布された液体の量が大気の温度が上昇するに伴って減少するように、大気に対して開放されている方法であって、該方法が、排出口を、温度上昇に伴って増大した程度に妨害することを含む、前記方法。
【発明の詳細な説明】
【技術分野】
【０００１】
本発明は、揮発性液体を大気中に散布するように適合された装置に関する。
【０００２】
揮発性液体を大気中に散布するための装置は、十分知られている。散布のための揮発性液体の例には、香料および殺虫剤が含まれ、大気には、室内および自動車の車内が含まれる。このような装置の１種の極めて一般的なタイプは、本質的に、揮発性液体および蒸発部材、例えば多孔質芯を含む貯留槽からなり、この一方の端部は、液体と接触しており、他方の端部は、大気中に露出しており、液体は、蒸発部材を通って拡散し、大気中に散布される。一般的に、液体は、ストレートの揮発性液体として、またはこれ自体ゲル中にカプセル封入された液体として存在する。以下の記載において、これ自体揮発性の液体の場合のみを記載するが、用語「揮発性液体」の使用は、ゲルの態様をも包含する。
【０００３】
ある好都合な位置（一般的には、蒸発部材が貫通し、貯留槽における頸部中に堅く差し込まれ、他の方法で液体を貯留槽中に保持するキャップ中）において、貯留槽の大気との圧力の均等化を可能にし、蒸発部材を貫通しての拡散が継続するのを確実にする、小さい排出口がある。
【０００４】
このような装置は、一般的に通常の室内の状況においては満足である一方、これらは、温度が極めて高くなり得る大気、例えば日照が良好な日における自動車の車内においては、あまり良好ではない。このような場合においては、到達する高い室内温度により、過度の蒸発がもたらされ、有効寿命が顕著に減少し得る。これを克服するいくつかの手段が提案されており、１つは、温度が上昇するに従って、蒸発部材を大気から次第に分離し、従って揮発性液体の大気中への逃散を減少させる、自動的な被覆機構を用いることである。このような被覆は、典型的には、ある感温手段（例えばバイメタルストリップ）により作動する。この考えは有用であるが、これは、被覆がしばしば十分に気密性の密封を形成せず、液体の損失が尚多大であるという問題を有する。
【発明の概要】
【０００５】
ここで、この問題を、単純な機構により部分的に、または完全に克服することが可能であることが、見出された。従って、本発明は、揮発性液体を大気中に散布するように適合された装置であって、該装置が、該液体を含む貯留槽および、液体から大気中に延在する多孔質蒸発部材を含み、該貯留槽が、均圧排出口によってのみ大気に直接開放されており、該排出口が、排出口を、上昇する大気温度に伴って増大する程度に妨害し、随意にこれを完全に閉鎖する閉鎖手段を備えている、前記装置を提供する。
【０００６】
本発明はさらに、揮発性液体を大気中に多孔質蒸発部材から散布し、この一方の端部が、大気との直接の接触から、均圧排出口以外により密閉されている貯留槽中の液体と接触しており、この他方の端部が、散布された液体の量が大気の温度が上昇するに伴って減少するように、大気に対して開放されている方法であって、該方法が、排出口を、温度上昇に伴って増大した程度に妨害することを含む、前記方法を提供する。
【０００７】
貯留槽は、所望の揮発性液体を保持するのに適するすべての容器であってもよい。これは、すべての好適な形態で、およびすべての好適な材料で製造されていてもよく、プラスチックが、特に好ましい。多孔質の蒸発部材が、液体が大気中に散布されるための唯一の経路であるため、すべての構造により、これが当該場合であることが確実にならなければならない。好ましい構造（しかしいかなる手段によっても唯一の構造ではない）は、貯留槽に比較的狭い頸部を設けることであり、これを通って、本質的に円筒型の蒸発部材が貫通し、蒸発部材は、頸部において、頸部中に、および蒸発部材の周囲に堅く適合するキャップにより密封される。
【０００８】
多孔質の蒸発部材は、液体を貯留槽から、この内部の多孔性により輸送し、次にこれが大気中に蒸発するのを可能にするのに適するすべての部材であってもよい。これは、当該分野において知られており、当該分野により用いられている多孔質の芯の１種であってもよく、これは、すべての好適な手段（例えば押し出しおよび成形）によるすべての好適な材料（例えば繊維、炭素、セラミックス、プラスチック）製であってもよい。
【０００９】
均圧排出口は、すべての適切な位置にあってもよい。前述の場合において、これは、多孔質蒸発部材を貯留槽中に密封するキャップ中にあってもよい。しかし、他の構造が可能である。排出口は、装置の輸送中にある方法で被覆されており、被覆を、装置を使用に供する際に取り外す。これは、一般的に、排出口と、使用の際に大気中に露出される多孔質の蒸発手段の当該端部とを共に被覆するキャップを有することにより、行われる。
【００１０】
排出口は、排出口を大気温度が上昇するに従って増大した程度で妨害する閉鎖手段を備えている。このことは、温度が上昇するに従って、排出口の有効な大きさが一層小さくなり、装置が圧力を均等にするための能力が低下し、多孔質の蒸発部材を流れて上昇することができる液体の量もまた減少することを意味する。所望により、閉鎖手段は、排出口を完全に閉鎖し、液体の大気中へのすべての逃散をほぼ完全に防止することができる。
【００１１】
閉鎖手段は、すべての好適な閉鎖手段であってもよい。１種のこのような好ましい手段は、温度応答性移動部材およびこれに取り付けられた閉鎖部材を含む。
【００１２】
温度応答性移動部材は、温度が上昇するに従って、閉鎖部材を、排出口を増大した程度に妨害するように移動させる、当該分野において知られているすべての好適な部材であってもよい。単純および安価のために、これが、上昇する温度の下で、閉鎖部材が適切な排出口制限方向に移動するように変形する部材を含むのが好ましい。好ましくは、温度応答性移動部材は、上昇する温度に伴って所望の程度の閉鎖を付与するのに十分な程度に変形する単一の成分である。
【００１３】
このような部材の例は、コイルバネである。このようなバネは、温度が上昇するに従って膨張することが知られており、この特性を用いることができる。しかし、好ましい温度応答性移動部材は、バイメタル部材である。これは、異なる熱膨張率を有する２種の金属を一緒に融合させることにより製造される部材である。温度が上昇するに従って、異なる膨張速度により、要素が変形する。最も一般的なバイメタル部材は、バイメタルストリップ、即ち等しい長さの２種の金属ストリップを一緒に融合させて製造した細長いストリップである。加熱の際に、このストリップは、低い方の熱膨張率を有する金属を有する側の方向に曲がる。従って、この場合においては、このようなストリップを、排出口に関して、低い方の熱膨張率を有する金属が、排出口に比較的近く、一方の端部が固定され、他方の端部が自由に移動し、この自由な端部がこれに閉鎖部材が取り付けられたように配向させることができる。ストリップが曲がるに従って、これは、閉鎖部材を、排出口に一層近くし、随意に最終的にはこれを完全に密封する。さらなる可能性は、バイメタルコイルであり、これは、上昇する温度に伴って伸び、従ってコイルの長軸に沿って膨張する。
【００１４】
閉鎖部材は、すべての好適な閉鎖部材であってもよく、当業者は、すべての所定の場合のための多くの好適な閉鎖部材を容易に思い付くことができる。例えば、閉鎖部材は、上昇する温度に伴って、円形の排出口の方向にニードル弁の方式で移動する、円錐状の部材であってもよい。円錐状の部材が、排出口に一層近く接近するに従って、これは、排出口の面積を減少させ、従って貯留槽の内側および外側の圧力の均等化の可能性を、さらに大きい程度に減少させ、随意に最終的にはこれを完全に密封する。
【００１５】
あるいはまた、閉鎖部材は、排出口の方向に移動し、随意に最終的にはこれを完全に閉鎖するキャップであってもよい。排出口は、この上方の端部において、これが終了する表面と同一平面にある孔において終了することができるか、またはこれは、表面の上方に直立する隆起した台座において終了することができる。他の代替は、カップ状の部材であり、これは、カップが排出口をさらに一層妨害し、随意に最終的には排出口を完全に密封するように排出口の方向に移動し、これは再び、孔のみまたは隆起した台座の一部であってもよい。他の可能性は、例えば貯留槽の密封キャップ中に形成した、対応する環状チャネルの方向に移動する、環状閉鎖部材であり、排出口は、チャネルの底部から貯留槽の内部まで延在する。完全な密封が望ましい場合には、チャネルと接触する閉鎖部材の当該部分は、良好な密封を形成するのに適する部材または材料、例えば好適に弾性の材料、例えばゴムまたはプラスチック材料製のガスケットを備えていてもよい。当業者は、本発明の範囲内にある多くの可能な変法を理解することができる。
【図面の簡単な説明】
【００１６】
【図１】本発明の第１の好ましい態様の縦方向の断面図である。
【図２】本発明の第２の好ましい態様の縦方向の断面図である。
【図３】本発明の第３の好ましい態様の縦方向の断面図である。
【図４】本発明の第４の好ましい態様の縦方向の断面図である。
【図５】本発明の第５の好ましい態様の縦方向の断面図である。
【００１７】
本発明を、添付した図面を参照してさらに記載する。これらは、好ましい態様を示し、いかなる方法によっても本発明を限定しない。
【００１８】
一般的に１で示した香料ディスペンサーは、２つの本体部、即ち上部２および下方の貯留槽部３からなり、貯留槽は、大気中に散布されるべき揮発性の液体香料を含む。貯留槽の頸部４中に、多孔質芯５が取り付けられており、これは、頸部中に堅く適合し、芯の周囲に堅く適合しているインサート６により一定の個所に保持されている。このインサートは、排出口７を含み、これは、貯留槽中の液体の大気との唯一の直接の接触であり、これは、空気圧力を均等にする作用を奏する。この特定の態様において、排出口７の上方の端部は、これがインサートの最上部に接近するに従って拡大されている。（態様に依存して、このような拡大は、常に必要であるかまたは望ましいわけではない場合がある）。排出口のこの拡大された端部のすぐ上方に、円錐状プラグ８が配置されており、このプロフィールは、拡大された端部のプロフィールと整合する。この円錐状プラグは、バイメタルストリップ９の末端に配置されており、これは、上方の本体部２の壁中の突出部１０に固定されている。
【００１９】
バイメタルストリップおよび円錐状プラグは、温度の上昇によりストリップが頸部４の方向に曲がり、従って円錐状プラグが排出口７の拡大された端部中に移動し、従って空気の流れを妨げ、圧力の均等化を阻害し、芯５からの蒸発の速度が低下するように配置されている。従って、高い温度（例えば高温の日における自動車の車内）において、香料は、すべては損失されない。温度が降下するに従って、円錐状プラグは後退し、従って増大した蒸発が再び可能になる。
【００２０】
図２の態様は、図１の態様と密接に類似しており、差異は、図１の突出部１０が、環状の棚１１で置換されており、これにバイメタルストリップ９が固定されており、ストリップが、直線状ではなく湾曲していることである−これにより、同一の空間において一層高度にバイメタルの材料を用い、従って自由端部において一層大きく移動させることが可能になる。
【００２１】
図３の態様は、バイメタルストリップ９が、温度が上昇した際に頸部４から湾曲して離れる点で、異なる。通常の温度において、バイメタルストリップ９の末端におけるキャップ１２は、芯５を一定の個所に保持するインサート６上に配置される。キャップは、圧力の貯留槽３中の大気との均等化を可能にする排出口７上に配置される。キャップは、中空であり、均圧化を可能にするための開口部１３を有する。
【００２２】
図３の態様において、排出口の部分的な、または完全な閉鎖を、キャップ１２から排出口７を貫通して垂れ下がり、この下端において円錐状部材１５を有するロッド１４により達成する。この円錐状部材は、空気の大気から貯留槽３への流れを妨げ、所望によりこれを、バイメタルストリップが、上昇する温度の下で上方に湾曲するに従って、これがロッドおよび排出口の下方の開放部に一層近い関連する円錐状部材を引くという事実により、完全に閉鎖するように適合されている。
【００２３】
図４の態様は、本質的に図１の態様と同一であるが、この場合において、排出口７の上端は、隆起して頸部１６を形成し、円錐状プラグ８は、頸部１６の上方に適合し、貯留槽を大気から減少させ、所望により完全に遮断するように設計されたカップ１７により置換される。
【００２４】
図５の態様において、閉鎖部材は、環状部材１８であり、これは、上方の本体部２から、バイメタルコイル１９によりつるされている。環状閉鎖部材は、カラー２０と共に形成されており、これを貫通して多孔質芯５が突出しており、カラーは、閉鎖部材が芯５上を摺動自在に移動するのを可能にする。芯は、貯留槽３中に、貯留槽の頸部４中に堅く適合するインサート６により保持されている。このインサートの上方の表面上に、チャネル２１が形成されており、これは、閉鎖部材がこの中に適合するように寸法がとられ、位置している。このチャネルからインサートを貫通して貯留槽に、排出口７が通じている。完全な密封が望ましい場合には、環状閉鎖部材１８の底部は、典型的にはゴムガスケットを含む。
【００２５】
作動の際に、バイメタルコイル１９は、上昇する温度に伴って膨張し、環状閉鎖部材１９をチャネル２１の方向に移動させる。これが移動するに従って、これは、次第に貯留槽の大気との接触を遮断し、従って貯留槽中の揮発性液体が芯を上昇する能力を低下させる。所望により、環状部材を、排出口を完全に閉鎖するように構成することができる。
【図１】
2011101805.tif 000003
【図２】
2011101805.tif 000004
【図３】
2011101805.tif 000005
【図４】
2011101805.tif 000006
【図５】
2011101805.tif 000007
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
揮発性液体を大気中に散布するように適合された装置であって、該装置が、該液体を含む貯留槽および、液体から大気中に延在する多孔質蒸発部材を含み、該貯留槽が、均圧排出口によってのみ大気に直接開放されており、該排出口が、排出口を、上昇する大気温度に伴って増大する程度に妨害し、随意にこれを完全に閉鎖する閉鎖手段を備えている、前記装置。